(57)【特許請求の範囲】
【請求項１】
２つの部材の縁部を合せることでフランジ部を形成するとともに、当該部材の間に形成した空間に揮散剤を配置した揮散剤パックと、
揮散剤パックをフランジ部に沿って取り囲む開口部を形成する枠体を有し、当該枠体の開口部に揮散剤パックが配置される揮散剤パックホルダと、
当該揮散剤パックホルダを保持する外装カバーを備え、
揮散剤パックホルダは、その枠体の内側に、揮散剤パックの左右両側に配置されたフランジ部に接する２つの張り出し部と、当該２つの張り出し部よりも手前側にオフセット配置されることで、２つの張り出し部ととともに揮散剤パックの下側に配置されたフランジ部を挿し込み可能な隙間を形成する爪部を有するとともに、
当該枠体の外側に、上側に向かって起立するフック部と、上下方向に延在して左右方向に変形及び復元が可能な２つの板ばね部を有し、
外装カバーは、揮散剤パックホルダに設けた板ばね部の変形及び復元を利用して、揮散剤パックホルダを上方または下方に向かってスライドさせることにより、当該揮散剤パックホルダを保持する側壁を有することを特徴とする吊下げ式揮散剤容器。
【請求項２】
請求項１において、揮散剤パックホルダは、枠体の内側に、爪部と対向する位置に配置されるとともに２つの張り出し部よりも手前側にオフセット配置されることで張り出し部との間に隙間を形成し、揮散剤パックの上側に配置されたフランジ部を２つの張り出し部との間で保持する隆起部を設けたことを特徴とする吊下げ式揮散剤容器。
【請求項３】
請求項１又は２において、揮散剤パックホルダの枠体の下側に、下側に向って延びる摘み部を設けたことを特徴とする吊下げ式揮散剤容器。
【請求項４】
請求項１乃至３のいずれか１項において、外装カバーの内側に、揮散剤パックを保持した揮散剤パックホルダのスライドを案内するガイド突起を設けたことを特徴とする吊下げ式揮散剤容器。
【請求項５】
請求項１乃至４のいずれか１項において、外装カバーの表示側面壁の内面に、揮散剤パックを保持した揮散剤パックホルダを揮散面側に指向させるための邪魔板を設け、揮散剤パックを保持した揮散剤パックホルダを、揮散剤収納体を表示側面壁と対向する向きにして挿入すると、揮散剤収納体が邪魔板と干渉することなく外装カバー内に収納できる一方、揮散剤収納体を揮散側面壁と対向する向きにして挿入すると、邪魔板が揮散剤パックホルダの枠体と干渉することで外装カバー内に収納できないようになっていることを特徴とする吊下げ式揮散剤容器。
【請求項６】
請求項１乃至５のいずれか１項において、外装カバーは、貫通孔が形成された中空のカバーであることを特徴とする吊下げ式揮散剤容器。
【請求項７】
請求項１乃至５のいずれか１項において、外装カバーは、揮散剤パックホルダの揮散側が開放された半割りのカバーであることを特徴とする吊下げ式揮散剤容器。
【発明の詳細な説明】
【技術分野】
【０００１】
本発明は、芳香剤、消臭剤又は防虫剤等の揮散剤を吊り下げて使用することができる吊下げ式揮散剤容器に関するものである。
【背景技術】
【０００２】
従来の吊下げ式揮散剤容器には、薬剤を収納した薬剤収納容器と、フック部が設けられた容器本体とを別体として構成することにより、容器本体の側面に形成された挿脱口を通して薬剤収納容器をセットするものがある（例えば、特許文献１参照）。
【先行技術文献】
【特許文献】
【０００３】
【特許文献１】特開２００４−１８２２４０号公報
【発明の概要】
【発明が解決しようとする課題】
【０００４】
しかしながら、従来の吊下げ式揮散剤容器は、容器本体にフック部が一体に設けてあるため、デザイン（外観形状）にバリエーション（変化）を持たせようとすると、容器本体全体の変更が必要となるとともに、コストの上昇が懸念される。このため、従来の吊下げ式揮散剤容器では、バリエーションの自由度が小さく、デザインが画一的になりがちであった。
【０００５】
本発明の目的とするところは、容易且つ安価にデザインの変更を行うことができる、新規の吊下げ式揮散剤容器を提供することにある。
【課題を解決するための手段】
【０００６】
本発明の吊下げ式揮散剤容器は、２つの部材の縁部を合せることでフランジ部を形成するとともに、当該部材の間に形成した空間に揮散剤を配置した揮散剤パックと、揮散剤パックをフランジ部に沿って取り囲む開口部を形成する枠体を有し、当該枠体の開口部に揮散剤パックが配置される揮散剤パックホルダと、当該揮散剤パックホルダを保持する外装カバーを備え、
揮散剤パックホルダは、その枠体の内側に、揮散剤パックの左右両側に配置されたフランジ部に接する２つの張り出し部と、当該２つの張り出し部よりも手前側にオフセット配置されることで、２つの張り出し部ととともに揮散剤パックの下側に配置されたフランジ部を挿し込み可能な隙間を形成する爪部を有するとともに、
当該枠体の外側に、上側に向かって起立するフック部と、上下方向に延在して左右方向に変形及び復元が可能な２つの板ばね部を有し、
外装カバーは、揮散剤パックホルダに設けた板ばね部の変形及び復元を利用して、揮散剤パックホルダを上方または下方に向かってスライドさせることにより、当該揮散剤パックホルダを保持する側壁を有することを特徴とするものである。
【０００７】
揮散剤パックホルダは、枠体の内側に、爪部と対向する位置に配置されるとともに２つの張り出し部よりも手前側にオフセット配置されることで張り出し部との間に隙間を形成し、揮散剤パックの上側に配置されたフランジ部を２つの張り出し部との間で保持する隆起部を設けることができる。
【０００８】
本発明では、揮散剤パックホルダの枠体の下側に、下側に向って延びる摘み部を設けることが好ましい。
【０００９】
外装カバーの内側には、揮散剤パックを保持した揮散剤パックホルダのスライドを案内するガイド突起を設けることができる。また、外装カバーの表示側面壁の内面には、揮散剤パックを保持した揮散剤パックホルダを揮散面側に指向させるための邪魔板を設け、揮散剤パックを保持した揮散剤パックホルダを、揮散剤収納体を表示側面壁と対向する向きにして挿入すると、揮散剤収納体が邪魔板と干渉することなく外装カバー内に収納できる一方、揮散剤収納体を揮散側面壁と対向する向きにして挿入すると、邪魔板が揮散剤パックホルダの枠体と干渉することで外装カバー内に収納できないようにすることができる。
【００１０】
外装カバーは、貫通孔が形成された中空のカバーとすることができる。また、外装カバーは、揮散剤パックホルダの揮散側が開放された半割りのカバーとすることができる。
【発明の効果】
【００１１】
本発明では、フック部が設けられた揮散剤パックホルダによって揮散剤パックを保持したのち、この揮散剤パックを保持した揮散剤パックホルダを、外装カバーの下方又は上方からスライドさせることで、吊下げ式揮散剤容器として組み立てることができる。外装カバーにはフック部が存在しないため、外装カバーの設計変更が容易で、デザインの自由度を高めることができる。これにより、外装カバーを交換するだけで、吊下げ式揮散剤容器のデザイン変更を行うことができる。
【００１２】
また、揮散剤パックは、その下側に配置されたフランジ部を、揮散剤パックホルダの２つの張り出し部と爪部との間に形成された隙間に斜めに挿し込んだのち、２つの張り出し部に向かって枠体内に押し込むだけで、揮散剤パックホルダに対して取り外し可能に固定することができる。
【００１３】
更に、揮散剤パックを保持した揮散剤パックホルダは、その板ばね部の変形及び復元を利用して、外装カバーの側壁に沿って上方または下方にスライドさせるだけで、外装カバーに対して取り外し可能に固定することができる。
【００１４】
加えて、外装カバーにフック部が存在しない分、外装カバーの簡素化が図れるため、外装カバー全体を設計変更しても、コストの上昇を抑えることができる。
【００１５】
従って、本発明によれば、吊下げ式揮散剤容器のデザイン変更を容易且つ安価に行うことができる。
【図面の簡単な説明】
【００１６】
【図１】本発明の吊下げ式揮散剤容器の第１の形態である、吊下げ式収納空間用芳香剤を揮散面側から示す正面図である。
【図２】同形態を背面側から示す斜視図である。
【図３】同形態に係る、揮散剤パック付き揮散剤パックホルダを示す背面図である。
【図４】同形態を背面から示す分解斜視図である。
【図５】同形態に係る、揮散剤パックホルダに揮散剤パックを組み付ける直前の状態を示す斜視図である。
【図６】同形態に係る、揮散剤パックホルダに揮散剤パックを組み付けた状態を示す斜視図である。
【図７】同形態の背面図である。
【図８】図７のＸ−Ｘ断面図である。
【図９】(a)は図７のＹ−Ｙ断面図であり、(b)は、図７のＺ−Ｚ断面図である。
【図１０】第１の形態の変形例である、吊下げ式収納空間用芳香剤を背面側から示す斜視図である。
【図１１】同変形例を背面側から示す分解斜視図である。
【発明を実施するための形態】
【００１７】
以下、図面を参照して、本発明の吊下げ式揮散剤容器の様々な形態を詳細に説明する。
【００１８】
図１にて、符号１は、本発明の第１の形態である、吊下げ式収納空間用芳香剤（以下、「吊下げ式芳香剤」）である。吊下げ式芳香剤１は、ゼリータイプの芳香剤Ｃs（図８参照）を揮散剤として、クローゼット等の収納空間に配置されたハンガーパイプに吊り下げて使用する。吊下げ式芳香剤１には、複数の揮散孔Ａ1が形成されている（図面では、代表的に１箇所のみ表示）。また、吊下げ芳香剤１の背面には、図２に示すように、芳香剤Ｃsの残量を確認するための残量確認用の窓Ｗが形成されている。
【００１９】
図３には、揮散剤パック２とともに揮散剤パックホルダ３が図示されている。図４に示す符号２ａは、揮散剤パック２の一の部材としての、透明な樹脂からなる揮散剤収納体である。揮散剤収納体２ａは、芳香剤Ｃsを格納する格納部２ａ1と、芳香剤Ｃsの収納開口部を取り囲む縁部２ａ2からなる。縁部２ａ2には、通気シート２ｂを固定することで、芳香剤Ｃsの配置空間を形成するとともに揮散剤パック２を構成する。このとき、縁部２ａ2は、揮散剤パック２の他の部材としての、通気シート２ｂとともにフランジ部（以下、「フランジ部２ａ2」として総称）を形成する。
【００２０】
一方、揮散剤パックホルダ３は、開口部Ａ2を形成する枠体３ａを有する。枠体３ａは、図３に示すように、揮散剤パック２をフランジ部２ａ2に沿って取り囲み、揮散剤パック２は、枠体３ａの開口部Ａ2に配置される。
【００２１】
枠体３ａの内側には、左右両側にそれぞれ、張り出し部３ｂが一体に設けられている。２つの張り出し部３ｂはそれぞれ、同図の仮想線に示すように、枠体３ａの上下方向全体に亘って設けられている。張り出し部３ｂはそれぞれ、同図に示すように、揮散剤パック２の左右両側に配置されたフランジ部２ａ2-1及び２ａ2-2を押える。これにより、揮散剤パック２は、張り出し部３ｂ側からは抜け落ちることがない。
【００２２】
また、枠体３ａの内側には、その下側に、爪部３ｃが一体に設けられている。爪部３ｃは、図４に示すように、２つの張り出し部３ｂよりも手前側にオフセット配置されることで、張り出し部３ｂとの間に隙間Ｃ1を形成する。隙間Ｃ1には、２つの張り出し部３ｂとともに揮散剤パック２の下側に配置されたフランジ部２ａ2-3を挿し込むことができる。これにより、揮散剤パック２は、図５に示すように、その下側に配置されたフランジ部２ａ2-3を、２つの張り出し部３ｂと爪部３ｃとの間に形成された隙間Ｃ1に斜めに挿し込んだのち、図６に示すように引き起こして２つの張り出し部３ｂとともに枠体３ａに合せるだけで、揮散剤パックホルダ３に対して取り外し可能に保持することができる。
【００２３】
なお、本形態では、枠体３ａの内側には、図３の如く、その上側に、爪部３ｃと対向するように、隆起部３ｄが一体に設けられている。隆起部３ｄも、爪部３ｃと同様、２つの張り出し部３ｂよりも手前側にオフセット配置されることで、張り出し部３ｂとの間に隙間Ｃ1を形成する。隙間Ｃ1には、２つの張り出し部３ｂとともに揮散剤パック２の上側に配置されたフランジ部２ａ2-4を挿し込むことができる。これにより、隆起部３ｄは、爪部３ｃを起点にした揮散剤パック２の引き起こしにより、当該揮散剤パック２の上側に配置されたフランジ部２ａ2-4が乗り越えつつ、２つの張り出し部３ｂとの間に配置されることで、当該２つの張り出し部３ｂとの間で取り外し可能に保持することができる。
【００２４】
また、枠体３ａの外側には、その上側に、上側に向かって起立するフック部３ｅが一体に設けられている。これにより、揮散剤パック２とともに揮散剤パックホルダ３をクローゼットのハンガーパイプ等に吊り下げることができる。
【００２５】
更に、枠体３ａの外側には、その左右両側にそれぞれ、板ばね部３ｆが一体に設けられている。２つの板ばね部３ｆはそれぞれ、枠体３ａ上下方向に延在するとともに、図４に示すように、枠体３ａよりも手前側にオフセット配置されている。これにより、２つの板ばね部３ｆはそれぞれ、枠体３ａに対して左右方向に変形及び復元が可能になる。
【００２６】
加えて、２つの板ばね部３ｆはそれぞれ、枠体３ａよりも外側に隙間Ｃ2だけ膨出している（更に詳細には図３を参照）。これにより、枠体３ａは、２つの板ばね部３ｆを内側に変形させたときの復元力（反発力）によって位置決めすることができる。なお、本形態では、２つの板ばね部３ｆにそれぞれ、突起３ｐを一体に設けることで、上下方向にスライドさせたときの摺動抵抗を抑制しつつ、強固な位置決めを可能にしている。
【００２７】
図４にて、符号４は、揮散剤パック２とともに揮散剤パックホルダ３を収納する外装カバーである。外装カバー４は、上述のとおり、正面側の揮散側面壁４ａには複数の揮散孔Ａ1が形成されている一方、背面側の表示側面壁４ｂには、残量確認用の窓Ｗが形成されている。
【００２８】
また、外装カバー４は、貫通孔が形成された中空のカバーである。貫通孔は、上下方向に沿って、その下側に形成された挿入口Ａ3と、その上側に形成された開放口Ａ4とを通じさせる。
【００２９】
外装カバー４は、図８に示すように、その下側に形成された挿入口Ａ3を通して、揮散剤パック２とともに揮散剤パックホルダ３を挿入したのち、その上側に形成された開放口Ａ4を通してフック部３ｅを突出させることができる。また、外装カバー４を形作る２つの側壁４ｃの内面間（貫通孔）の横幅は、揮散剤パックホルダ３の横幅よりも狭く設定されている。これにより、揮散剤パック２を保持した揮散剤パックホルダ３は、揮散剤パックホルダ３に設けた板ばね部３ｆの変形及び復元を利用することで、外装カバー４の側壁４ｃの内面を押圧しつつ、開放口Ａ4に向かってスライドさせることができる。
【００３０】
本発明では、上述のとおり、板ばね部３ｆが側壁４ｃの内面を押圧することで生じる復元力だけを利用して、揮散剤パック２を保持した揮散剤パックホルダ３を位置決めすることも可能であるが、本形態では、図９(a)に示すように、側壁４ｃの内面にそれぞれ、凹部４ｎを形成している。凹部４ｎはそれぞれ、板ばね部３ｆに設けた突起３ｐが引っ掛かる位置決め用の凹部として機能している。これにより、揮散剤パック２を保持した揮散剤パックホルダ３を挿入口Ａ3と開放口Ａ4との間に形成された空間Ｓに収納することができる。
【００３１】
更に、外装カバー４は、図８に示すように、揮散側面壁４ａ及び表示側面壁４ｂの内面（裏面）にそれぞれ、ガイド突起４ｄ1及び４ｄ2が一体に設けられている。ガイド突起４ｄ1及び４ｄ2はそれぞれ、同図に示すように、上下方向に延在する。揮散側面壁４ａの内面側に設けられたガイド突起４ｄ1は、図９に示すように、揮散剤パックホルダ３の張り出し部３ｂをスライド可能に保持し、表示側面壁４ｂの内面側に設けたガイド突起４ｄ2は、揮散剤パック２の揮散剤収納体２ａをスライド可能に保持する。これにより、揮散剤パック２を保持した揮散剤パックホルダ３が外装カバー４内でスライドするとき、当該外装カバー４内でガタ付くことなく、容易に収納することができる。
【００３２】
更に、表示側面壁４ｂの内面には、図９に示すように、２つのガイド突起４ｄ2を挟み込むように、当該ガイド突起４ｄ2の外側に、２つの邪魔板４ｅが一体に設けられている。２つの邪魔板４ｅは、同図に示すように、揮散剤パック２の揮散剤収納体２ａと干渉しない位置に配置されている。
【００３３】
揮散剤パック２を保持した揮散剤パックホルダ３は、同図に示すように、揮散剤収納体２ａを表示側面壁４ｂと対向する向きにして挿入すると、揮散剤収納体２ａが２つの邪魔板４ｅと干渉することなく外装カバー４内に収納できる一方、揮散剤収納体２ａを揮散側面壁４ａと対向する向きにして挿入すると、２つの邪魔板４ｅが揮散剤パックホルダ３の枠体３ａと干渉することで挿入できない。これにより、揮散剤パック２を保持した揮散剤パックホルダ３を外装カバー４にセットするときは常に、揮散剤パック２の揮発面（揮発シート２ｂ）を揮発孔Ａ1に指向させた状態にセットすることができる。
【００３４】
本発明では、フック部３ｅが設けられた揮散剤パックホルダ３によって揮散剤パック２を保持したのち、この揮散剤パックホルダ３を、外装カバー４の下方からスライドさせることで、吊下げ式芳香剤１として組み立てることができる。外装カバー４にはフック部３ｅが存在しないため、外装カバー４の設計変更が容易で、デザインの自由度を高めることができる。これにより、外装カバー４を交換するだけで、吊下げ式芳香剤１のデザイン変更を行うことができる。
【００３５】
また、揮散剤パック２は、その下側に配置されたフランジ部２ａ2-3を、揮散剤パックホルダ３の２つの張り出し部３ｂと爪部３ｃとの間に形成された隙間Ｃ1に斜めに挿し込んだのち、２つの張り出し部３ｂに向かって枠体３ａ内に押し込むだけで、揮散剤パックホルダ３に対して取り外し可能に固定することができる。
【００３６】
更に、揮散剤パック２を保持した揮散剤パックホルダ３は、その板ばね部３ｆの変形及び復元を利用して、外装カバー４の側壁４ｃに沿って上方にスライドさせるだけで、外装カバー４に対して取り外し可能に固定することができる。
【００３７】
加えて、外装カバー４にフック部３ｅが存在しない分、外装カバー４の簡素化が図れるため、外装カバー４全体を設計変更しても、コストの上昇を抑えることができる。
【００３８】
従って、本発明によれば、吊下げ式芳香剤１のデザイン変更を容易且つ安価に行うことができる。なお、本形態では、揮散剤パックホルダ３に摘み部３ｇが一体に設けられている。このため、摘み部３ｇを持って下向きに引っ張れば、揮散剤パックホルダ３を揮散剤パック２とともに容易に取り出すことができる。これにより、外装カバー４の交換を更に容易に行うことができる。
【００３９】
また、揮散剤パック２を保持した揮散剤パックホルダ３は、本形態のように、外装カバー４の下側から挿入する構成とすれば、開放口Ａ4の横幅を揮散剤パックホルダ３の横幅よりも小さくすることで、吊り下げ時に外装カバー４のみが脱落することの防止に有効である。但し、本発明によれば、外装カバー４の上側から、揮散剤パック２を保持した揮散剤パックホルダ３を挿入することも可能である。
【００４０】
図１０は、本発明の第１の形態の変形例である、吊下げ式芳香剤１０を示す。本変形例では、外装カバー４は、表示側面壁４ｂと側壁４ｃからなる半割りのカバーである。本変形例に関し、以下に説明する以外の部分については、第１の形態と同様であるため、実質的に同一の部分については、同一の符号をもって、その説明を省略する。
【００４１】
本変形例において、外装カバー４は揮散側（正面側）が開放されている。このため、開放口Ａ4は図１１に示すように、切り欠き部として構成されている。また、表示側面壁４ｂには、揮散剤パック２の格納部２ａ1を収納するため、収納凸部４ｂ1が形成されている。このため、挿入口Ａ3も、側壁４ｃとともに収納凸部４ｂ1の断面形状として形作られた切り欠き部として構成されている。これにより、第１の形態と同様、揮散剤パック２を保持した揮散剤パックホルダ３を外装カバー４の下側からスライドさせることで組み付けることができる。
【００４２】
揮散剤パック２を保持した揮散剤パックホルダ３を収納すると、揮散剤パック２の揮散面は、外装カバー４から露出する。本形態では、図１１に示すように、揮散剤パックホルダ３の枠体３ａの内側には、仕切壁３ｈが形成されている。仕切壁３ｈには、複数の揮散孔Ａ1が形成されている（図面では、代表的に１箇所のみ表示）。これにより、揮散剤パック２の揮散面（通気シート２ｂ）が外界に露出することがない。
【００４３】
また、本変形例も、第１の形態と同様、板ばね部３ｆが側壁４ｃの内面を押圧することで生じる復元力だけを利用して、揮散剤パック２を保持した揮散剤パックホルダ３を位置決めすることも可能であるが、本形態では、外装カバー４の側壁４ｃには、位置決め用の凹部４ｎに換えて、開口部Ａ5が形成されている。開口部Ａ5はそれぞれ、板ばね部３ｆに設けた突起３ｐが引っ掛かる位置決め用の開口部として機能している。これにより、揮散剤パック２を保持した揮散剤パックホルダ３を挿入口Ａ3と開放口Ａ4との間に収納することができる。
【００４４】
上述したところは、本発明の一形態を示したにすぎず、特許請求の範囲において、種々の変更を加えることができる。例えば、外装カバー４の形態は、そのデザイン変更によって様々なものを採用することができ、残量確認用の窓Ｗの有無も任意である。また、揮散剤パック２の通気シート２ｂは、通気性のあるものであれば、繊維質材料、多孔質材料等、様々なものを適用することができる。更に、通気シート２ｂには、上述した仕切壁３ｈのように、合成樹脂製のシート材等、保形性のあるシート材に通気孔を形成したものを採用することができる。即ち、揮散剤パック２は、フランジ部２ａ2を有するものであれば、様々なものを採用することができる。このため、揮散剤パック２は、例えば、２つの揮散剤収納体２ａを合せて構成することも可能である。更に、各形態の構成中に採用される要素は、適宜、転用等を行うことができる。
【産業上の利用可能性】
【００４５】
本発明は、芳香剤に限定されることなく、消臭剤や防虫剤等の揮散剤を吊り下げて使用することを目的とするものであれば、様々な吊下げ式揮散剤容器に適用することができる。
【符号の説明】
【００４６】
１      吊下げ式収納空間用式芳香剤（第１の形態）
２      揮散剤パック
２ａ    揮散剤収納体
２ａ1   （揮散剤）格納部
２ａ2   フランジ部（縁部）
２ａ2-1 左右フランジ部
２ａ2-2 左右側側フランジ部
２ａ2-3 下側フランジ部
２ａ2-4 上側フランジ部
２ｂ    通気シート
３      揮散剤パックホルダ
３ａ    枠体
３ｂ    張り出し部
３ｃ    爪部
３ｅ    フック部
３ｆ    板ばね部
３ｐ    突起部（板ばね部）
３ｇ    摘み部
４      外装カバー
４ａ    揮散側面壁
４ｂ    表示側面壁
４ｂ1   収納凸部（揮散剤格納部収納用）
４ｃ    側壁
４ｄ1   （正面側）ガイド突起
４ｄ2   （背面側）ガイド突起
４ｅ    邪魔板
４ｎ    位置決め用凹部
１０    吊下げ式収納空間用式芳香剤（第２の形態）
Ａ1     揮散孔
Ａ2     枠体開口部
Ａ3     挿入口
Ａ4     開放口
Ａ5     位置決め用開口部
Ｃ1     隙間（フランジ部挿し込み用）
Ｃ2     隙間（板ばね部）
Ｗ      残量確認用窓部
【図１】
0005819704.tif 000002
【図２】
0005819704.tif 000003
【図３】
0005819704.tif 000004
【図４】
0005819704.tif 000005
【図５】
0005819704.tif 000006
【図６】
0005819704.tif 000007
【図７】
0005819704.tif 000008
【図８】
0005819704.tif 000009
【図９】
0005819704.tif 000010
【図１０】
0005819704.tif 000011
【図１１】
0005819704.tif 000012